(57)【特許請求の範囲】
【請求項１】
スケジューリングリクエスト配分を管理する装置であって、
無線通信ネットワークを介して複数のユーザ機器（複数のＵＥ）と通信するように構成された通信モジュールと、
前記通信モジュールに結合されたスケジューリングモジュールと
を備え、
前記スケジューリングモジュールは、前記複数のＵＥのうちのＵＥの第１の組から、前記ＵＥの第１の組が１つ又は複数のバックグラウンドアプリケーションを実行しアクティブアプリケーションは実行していないバックグラウンドモードであるというインジケータを受信し、前記ＵＥの第１の組の個々のＵＥに対してスケジューリングリクエスト配分（ＳＲ配分）を割り当て、
前記個々のＵＥの前記ＳＲ配分はチャネルの共通リソースブロックにおけるリソースエレメントを含む、装置。
【請求項２】
前記スケジューリングモジュールは、さらに、前記個々のＵＥに対して前記個々のＵＥのそれぞれのＳＲ配分を無線リソース制御（ＲＲＣ）信号伝達を介して通知する、請求項１に記載の装置。
【請求項３】
前記第１の組の前記ＵＥに対する前記割り当てられたＳＲ配分の周期は、前記無線通信ネットワークを介して前記通信モジュールと通信しているアクティブモードＵＥに対する周期よりも長い、請求項１に記載の装置。
【請求項４】
前記スケジューリングモジュールは、さらに、前記装置に送信すべきデータが前記ＵＥにあることを示すために、ランダムアクセスチャネルの代りに前記割り当てられたＳＲ配分を使用するように、前記ＵＥに命令する、請求項１に記載の装置。
【請求項５】
前記第１の組は最大１８のＵＥを含む、請求項１に記載の装置。
【請求項６】
前記チャネルは物理アップリンク制御チャネル（ＰＵＣＣＨ）である、請求項１に記載の装置。
【請求項７】
前記ＵＥの第１の組は、無線リソース制御（ＲＲＣ）接続状態にある、請求項１に記載の装置。
【請求項８】
前記スケジューリングモジュールは、さらに、１つ又は複数のＵＥから、前記１つ又は複数のＵＥが前記バックグラウンドモードでなくなったことを示す別のインジケータを受信する、請求項１から請求項７のいずれか１つに記載の装置。
【請求項９】
ユーザ機器（ＵＥ）によって使用される装置であって、
無線通信ネットワークを介して発展型ノードＢ（ｅＮＢ）と通信するように構成された通信モジュールと、
前記通信モジュールに結合され、前記ＵＥが１つ又は複数のバックグラウンドアプリケーションを実行しアクティブアプリケーションは実行していないバックグラウンドモードにあるというインジケータを、前記ｅＮＢに送信するアプリケーションモジュールと、
を備える、装置。
【請求項１０】
前記アプリケーションモジュールは、さらに、前記ＵＥに割り当てられたスケジューリングリクエスト配分を更新するメッセージを前記ｅＮＢから受信し、前記ＵＥに対する前記割り当てられたＳＲ配分のリソースエレメントは、前記バックグラウンドモードにあるＵＥのＳＲ配分に対して指定されたチャネルのリソースブロックに含まれる、請求項９に記載の装置。
【請求項１１】
前記アプリケーションモジュールは、さらに、前記１つ又は複数のバックグラウンドアプリケーションに対して前記ｅＮＢに送信すべきデータが前記ＵＥにあることを示すように、前記割り当てられたＳＲ配分の前記リソースエレメントで前記ｅＮＢにＳＲインジケータを送信する、請求項１０に記載の装置。
【請求項１２】
前記割り当てられたＳＲ配分は、アクティブモードにある前記無線通信ネットワークのＵＥのＳＲ配分周期よりも長い関連する周期を含む、請求項１０に記載の装置。
【請求項１３】
前記アプリケーションモジュールは、前記ｅＮＢに対して前記ｅＮＢに送信すべきデータが前記ＵＥにあることを通知するために、前記割り当てられたＳＲ配分を排他的に使用する、請求項１０に記載の装置。
【請求項１４】
前記インジケータは、媒体アクセス制御（ＭＡＣ）メッセージを介して送信される、請求項９に記載の装置。
【請求項１５】
前記アプリケーションモジュールは、さらに、前記ＵＥが前記バックグラウンドモードでなくなったことを示すように、別のインジケータを前記ｅＮＢに送信する、請求項９に記載の装置。
【請求項１６】
スケジューリングリクエスト配分を管理する方法であって、
複数のユーザ機器（複数のＵＥ）から発展型ノードＢ（ｅＮＢ）によって、前記複数のＵＥがバックグラウンドモードにあるというインジケータを受信する段階と、
前記バックグラウンドモードにあるＵＥからのスケジューリングリクエスト（ＳＲ）に対して物理アップリンク制御チャネル（ＰＵＣＣＨ）の１つ又は複数のリソースブロックを指定する段階と、
前記指定された１つ又は複数のリソースブロックのＳＲ配分を前記複数のＵＥの個々のＵＥに割り当てる段階と、
を含む、スケジューリングリクエスト配分を管理する方法。
【請求項１７】
前記ＳＲ配分は、ＳＲインジケータを前記ｅＮＢに送信するために個々のＵＥが使用する、前記１つ又は複数の指定されたリソースブロックのリソースエレメント及び周期を特定する、請求項１６に記載の方法。
【請求項１８】
前記周期は、前記ｅＮＢと通信しているアクティブモードＵＥに対する周期よりも長い、請求項１７に記載の方法。
【請求項１９】
前記複数のＵＥに対して、前記複数のＵＥに前記複数のＵＥの割り当てられたＳＲ配分を通知するように無線リソース制御（ＲＲＣ）メッセージを送信する段階を更に含む、請求項１６に記載の方法。
【請求項２０】
前記インジケータは、媒体アクセス制御（ＲＲＣ）信号伝達を介して受信される、請求項１６に記載の方法。
【請求項２１】
前記バックグラウンドモードにある前記ＵＥは、１つ又は複数のバックグラウンドアプリケーションを実行しアクティブアプリケーションは実行していない、請求項１６から請求項２０のいずれか１つに記載の方法。
【請求項２２】
ＵＥに対して、
無線通信ネットワークを介して発展型ノードＢ（ｅＮＢ）に対して、前記ＵＥが１つ又は複数のバックグラウンドアプリケーションを実行しアクティブアプリケーションは実行していないバックグラウンドモードにあるというインジケータを送信させ、
前記ＵＥに対して割り当てられたスケジューリングリクエスト配分（ＳＲ配分）を更新するメッセージを前記ｅＮＢから受信させ、
前記ＵＥに対する前記割り当てられたＳＲ配分のリソースエレメントは、前記バックグラウンドモードにあるＵＥのＳＲ配分に対して指定された物理アップリンク制御チャネル（ＰＵＣＣＨ）のリソースブロックに含まれ、
前記ＵＥは、前記ｅＮＢに対して前記ｅＮＢに送信すべきデータが前記ＵＥにあることを示すために、ランダムアクセスチャネルの代りに前記割り当てられたＳＲ配分を使用する、プログラム。
【請求項２３】
さらに、前記ＵＥに対して、前記１つ又は複数のバックグラウンドアプリケーションに対して前記ｅＮＢに送信すべきデータが前記ＵＥにある場合に、前記割り当てられたＳＲ配分の前記リソースエレメントでＳＲインジケータを前記ｅＮＢに送信させる、請求項２２に記載のプログラム。
【請求項２４】
前記割り当てられたＳＲ配分は、アクティブモードにある前記無線通信ネットワークのＵＥのＳＲ配分周期よりも長い関連する周期を含む、請求項２２に記載のプログラム。
【請求項２５】
前記インジケータは、媒体アクセス制御（ＭＡＣ）メッセージを介して送信される、請求項２２に記載のプログラム。
【発明の詳細な説明】
【技術分野】
【０００１】
本発明の実施形態は、包括的には通信の分野に関し、より詳細には、バックグラウンドアプリケーションを実行する無線通信デバイスに対するスケジューリングリクエストに関する。
【０００２】
［関連出願の相互参照］
本出願は、「Advanced Wireless Communication Systems And Techniques」と題する２０１１年１１月４日に出願された米国仮特許出願第６１／５５６１０９号に対する優先権を主張する、「Scheduling Requests For Wireless Communication Devices Running Background Applications」と題する２０１２年８月７日に出願された米国特許出願第１３／５６８５０８号に対する優先権を主張し、それらの開示全体は、引用することにより本明細書の一部をなす。
【背景技術】
【０００３】
多くの無線通信ネットワークでは、ユーザ機器（ＵＥ）は、発展型ノードＢ（ｅＮＢ：evolved Node B）に少量で及び／又は低頻度でデータを送信することを必要とするバックグラウンドアプリケーションを実行する場合がある。ロングタームエボリューション（ＬＴＥ：long-term evolution）ネットワーク等の幾つかのネットワークでは、ＵＥが、ｅＮＢにデータを送信する際のアップリンクチャネルリソースの配分を要求する、２つのメカニズムがある。一方は、ＵＥが、ランダムアクセスチャネル（random access channel）でｅＮＢにメッセージを送信するというものであり、他方は、ＵＥが、スケジューリングリクエスト（ＳＲ）を、ＳＲ配分の一部としてＵＥに割り当てられる物理アップリンク制御チャネル（ＰＵＣＣＨ：physical uplink control channel）のリソースエレメントでｅＮＢに送信するというものである。バックグランウドアプリケーション用のデータを送信するためのネットワークとの頻繁な接続及び切断のシグナリングオーバーヘッドを回避するために、ＵＥが無線リソース制御（ＲＲＣ：radio resource control）接続状態でバックグラウンドアプリケーションを実行したままであることが望ましい可能性がある。したがって、ＳＲ配分をＵＥに割り当てなければならない。しかしながら、バックグラウンドアプリケーションを実行しているＵＥの場合、ＵＥは僅かな数のＳＲ配分スロットしか使用しない。
【発明の概要】
【０００４】
以下の詳細な説明と添付図面との組合せにより、実施形態は容易に理解されるであろう。この説明を容易にするため、同様の参照符号は同様の構成要素を示す。添付図面の各図において、実施形態は、限定としてではなく、例示として示されている。
【図面の簡単な説明】
【０００５】
【図１】様々な実施形態による無線通信ネットワークを示すブロック図である。
【図２】様々な実施形態による、基地局によって実行することができるスケジューリングリクエスト配分を管理する方法を示すフローチャートである。
【図３】様々な実施形態による、ユーザ機器によって実行することができる方法を示すフローチャートである。
【図４】様々な実施形態によるコンピューティングシステム例を示すブロック図である。
【発明を実施するための形態】
【０００６】
本開示の例示的な実施形態は、限定されないが、バックグラウンドアプリケーションを実行している無線通信デバイスに対してスケジューリングリクエストを構成する方法、システム及び装置を含む。
【０００７】
例示的な実施形態の様々な態様について、当業者が自身の仕事の内容を他の当業者に伝えるために一般に使用する用語を用いて説明する。しかしながら、当業者には、代替的な実施形態を、記載する態様のうちの一部のみを用いて実施することができることが明らかとなろう。説明の目的で、例示的な実施形態が完全に理解されるために、具体的な数、材料及び構成について示す。しかしながら、当業者には、代替実施形態をそれらの具体的な詳細なしに実施することができることが明らかとなろう。他の例では、例示的な実施形態を不明瞭にしないために、既知の特徴は省略するか又は簡略化している。
【０００８】
さらに、様々な動作について、複数の別個の動作として、順に、例示的な実施形態の理解に最も役立つ方法で説明するが、説明の順序は、これらの動作が必ず順序に依存することを意味するように解釈されるべきではない。特に、これらの動作は、提示の順序で実行される必要はない。
【０００９】
「幾つかの実施形態では」という句を繰返し使用する。この句は、概して、同じ実施形態を指すものではないが、指す場合もある。「具備する、備える」、「有する」及び「含む」という用語は、文脈において特に指示されない限り同義である。「Ａ及び／又はＢ」という句は、（Ａ）、（Ｂ）又は（Ａ及びＢ）を意味する。「Ａ／Ｂ」という句は、「Ａ及び／又はＢ」という句と同様に、（Ａ）、（Ｂ）又は（Ａ及びＢ）を意味する。「Ａ、Ｂ及びＣのうちの少なくとも１つ」という句は、（Ａ）、（Ｂ）、（Ｃ）、（Ａ及びＢ）、（Ａ及びＣ）、（Ｂ及びＣ）又は（Ａ、Ｂ及びＣ）を意味する。「（Ａ）Ｂ」という句は、（Ｂ）又は（Ａ及びＢ）を意味し、すなわちＡは任意である。
【００１０】
本明細書では具体的な実施形態について例示し説明しているが、当業者には、本開示の実施形態の範囲から逸脱することなく、示し説明する具体的な実施形態を、多種多様の代替的な実施態様及び／又は等価な実施態様に置き換えることができることが理解されよう。本出願は、本明細書において考察する実施形態のあらゆる適応又は変形も包含するように意図されている。したがって、本開示の実施形態は、特許請求の範囲及びその均等物によってのみ限定されることが明示的に意図されている。
【００１１】
本明細書で使用される場合、「モジュール」という用語は、特定用途向け集積回路（ＡＳＩＣ）、電気回路、１つ若しくは複数のソフトウェアプログラム又はファームウェアプログラムを実行するプロセッサ（共用、専用又はグループ）及び／又はメモリ（共用、専用又はグループ）、組合せ論理回路及び／又は記述した機能を提供する他の適切な要素を指すものであるか、これらの一部であるか、又は、これらを含み得る。
【００１２】
図１は、様々な実施形態による無線通信ネットワーク１００を概略的に示す。無線通信ネットワーク１００（以下、「ネットワーク１００」）は、発展型（evolved）ユニバーサルモバイル通信システム（ＵＭＴＳ：universal mobile telecommunication system）地上無線アクセスネットワーク（Ｅ−ＵＴＲＡＮ：terrestrial radio access network）等、第３世代パートナーシッププロジェクト（３ＧＰＰ：3rd Generation Partnership Project）ロングタームエボリューション（ＬＴＥ）ネットワークのアクセスネットワークとすることができる。ネットワーク１００は、ユーザ機器（ＵＥ）１０８と無線で通信するように構成された基地局、例えば発展型ノードＢ（ｅＮＢ）１０４を含むことができる。ネットワーク１００は、ｅＮＢ１０４と無線で通信する１つ又は複数の追加のＵＥ、例えばＵＥ１１２及び１１６を更に含むことができる。
【００１３】
ＵＥ１０８は、互いに結合された通信モジュール１２０及びアプリケーションモジュール１２４を備えることができる。通信モジュール１２０は、ネットワーク１００を介してｅＮＢ１０４と通信する（例えば送信及び／又は受信する）ことができる。アプリケーションモジュール１２４は、ＵＥ１０８において１つ又は複数のアプリケーションを実行することができる。アプリケーションを、ＵＥ１０８に格納し及び／又はＵＥ１０８によってリモートストレージからアプリケーションにアクセスすることができる。通信モジュール１２０を、ネットワーク１００を介して無線で通信するためにＵＥ１０８の複数のアンテナ１２８のうちの１つ又は複数と更に結合することができる。
【００１４】
ＵＥ１０８は、任意の適切な数のアンテナ１２８を備えることができる。様々な実施形態において、ＵＥ１０８は、少なくとも、ＵＥ１０８がｅＮＢから受信する複数の同時の空間レイヤー又はストリームと同じ数のアンテナ１２８を備えることができるが、本開示の範囲はこれに関して限定されない可能性がある。同時の空間レイヤー又はストリームの数を、送信ランク、又は単にランクと呼ぶこともできる。
【００１５】
アンテナ１２８のうちの１つ又は複数を、送信アンテナ又は受信アンテナとして交互に使用することができる。代替的に又はさらに、アンテナ１２８のうちの１つ又は複数を、専用受信アンテナ又は専用送信アンテナとすることができる。
【００１６】
明示的には示さないが、ＵＥ１１２及び１１６は、ＵＥ１０８と同様のモジュール／コンポーネントを備えることができる。
【００１７】
ｅＮＢ１０４は、互いに結合された通信モジュール１３２及びスケジューリングモジュール１３６を備えることができる。通信モジュール１３２を、ｅＮＢ１０４の１つ又は複数のアンテナ１４０と更に結合することができる。通信モジュール１３２は、１つ又は複数のＵＥ（例えば、ＵＥ１０８、１１２及び／又は１１６）と通信する（例えば、送信及び／又は受信する）ことができる。様々な実施形態において、ｅＮＢ１０４は、少なくとも、ＵＥ１０８に送信される同時の送信ストリームの数と同じ数のアンテナ１４０を備えることができるが、本開示の範囲はこれに関して限定されない可能性がある。アンテナ１４０のうちの１つ又は複数を、送信アンテナ又は受信アンテナとして交互に使用することができる。代替的に又はさらに、アンテナ１４０のうちの１つ又は複数を専用受信アンテナ又は専用送信アンテナとすることができる。
【００１８】
様々な実施形態では、ＵＥ１０８は、バックグラウンドモードとアクティブモードとの間で切り替わることができる。バックグラウンドモードを、ＵＥが、例えばアプリケーションモジュール１２４を介して、１つ又は複数のバックグラウンドアプリケーションを実行しアクティブアプリケーションは実行していないモードとして定義することができる。アクティブアプリケーションは、ＵＥ１０８のユーザとアクティブに対話しているアプリケーションを指す。したがって、バックグラウンドモードの間は、ＵＥ１０８はユーザとのアクティブな対話に携わることができない。バックグラウンドモードの間、ＵＥ１０８のディスプレイ（図示せず）をオフする場合もあればしない場合もある。アクティブモードでは、ＵＥ１０８は、１つ又は複数のアクティブアプリケーションを実行している可能性があり、及び／又はユーザとアクティブに対話している可能性がある。ＵＥ１０８は、バックグラウンドモード及び／又はアクティブモードの代りに又はそれに加えて１つ又は複数の他のモードとなることができる可能性がある。例えば、幾つかの状況では、ＵＥ１０８は、いかなるバックグラウンドアプリケーションもアクティブアプリケーションも実行していない可能性がある。
【００１９】
様々な実施形態において、ＵＥ１０８のアプリケーションモジュール１２４は、ｅＮＢ１０４に（例えば、通信モジュール１２０を介して）、ＵＥ１０８がバックグラウンドモードにあることを示すバックグラウンドインジケータを送信することができる。幾つかの実施形態では、バックグラウンドインジケータを、ＵＥ１０８からｅＮＢ１０４に送信される媒体アクセス制御（ＭＡＣ）メッセージに含めることができる。幾つかの実施形態では、ＵＥ１０８は、バックグラウンドモードから出る場合（例えば、ＵＥ１０８がアクティブモードに遷移するか又はいかなるバックグラウンドアプリケーションも実行しなくなっている場合）、ｅＮＢ１０４に別のインジケータを送信することができる。例えば、バックグラウンドインジケータは、ＵＥ１０８がバックグラウンドモードにある場合に第１の値を有し、ＵＥ１０８がアクティブモードにある場合に第２の値を有するビットを含むことができる。他の実施形態では、ＵＥ１０８は、バックグラウンドモードに入るときにのみバックグラウンドインジケータを送信することができる。
【００２０】
様々な実施形態において、ｅＮＢ１０４は、複数のＵＥから、ＵＥがバックグラウンドモードであることを示すバックグラウンドインジケータを受信することができる。これらのＵＥを、バックグラウンドＵＥと呼ぶことができる。バックグラウンドＵＥは、ｅＮＢ１０４と無線リソース制御（ＲＲＣ）接続状態にあり得る。したがって、ｅＮＢ１０４は、バックグラウンドＵＥに対して、ＵＥがスケジューリングリクエスト（ＳＲ）インジケータ（単にＳＲとも呼ばれる）をｅＮＢ１０４に送信しているときにＵＥが使用すべきＳＲ配分を割り当てることができる。例えば、ＵＥ１０８は、ｅＮＢ１０４に対して、バックグラウンドアプリケーションのうちの１つ又は複数に対してｅＮＢ１０４に送信すべきデータがＵＥ１０８にあることを通知するために、ｅＮＢ１０４にＳＲを送信することができる。
【００２１】
様々な実施形態において、ｅＮＢ１０４は、チャネルの共通リソースブロック（例えば、物理アップリンク制御チャネル（ＰＵＣＣＨ））でバックグラウンドＵＥの組の個々のバックグラウンドＵＥに対してＳＲ配分を割り当てることができる。幾つかの実施形態では、リソースブロックを、バックグラウンドＵＥからのＳＲに対して指定することができる（例えば、そのリソースブロックは他のデータに対して使用することができない）。
【００２２】
様々な実施形態において、リソースブロックは、リソースブロック内の周波数及び時間配分に対応する複数のリソースエレメントを含むことができる。ＳＲ配分は、共通リソースブロックの特定のリソースエレメントを、スケジューリングリクエストをｅＮＢ１０４に送信するそれぞれのバックグラウンドＵＥに割り当てることができる。ＳＲ配分は、ＵＥに対して連続的な割り当てられたリソースエレメントの間の関連する周期を更に含むことができる。
【００２３】
幾つかの実施形態では、各リソースブロックは、最大１８等、ＳＲが利用可能な限られた数のリソースエレメントを含むことができる。この場合、リソースブロックは、最大１８のバックグラウンドＵＥに対するＳＲ配分を含むことができる。１つのリソースブロックに対して限界よりも多いバックグラウンドＵＥがある場合、バックグラウンドＵＥのＳＲ配分に対して更なる指定されたリソースブロックを使用することができる。
【００２４】
様々な実施形態において、ｅＮＢ１０４は、ＵＥ１０８に対してその割り当てられたＳＲ配分を通知するために、ＵＥ１０８に送信を行うことができる。ＳＲ配分は、ＵＥ１０８によってＳＲに対して使用されるリソースエレメント及び関連する周期を特定することができる。幾つかの実施形態では、ｅＮＢ１０４は、ＵＥ１０８に対して、ｅＮＢ１０４によって送信されるＲＲＣ制御メッセージを介してその割り当てられたＳＲ配分を通知することができる。
【００２５】
様々な実施形態において、バックグラウンドアプリケーションのうちの１つ又は複数に対してｅＮＢ１０４に送信すべきデータがＵＥ１０８にある場合、ＵＥ１０８は、割り当てられたＳＲ配分のリソースエレメントでｅＮＢ１０４にＳＲを送信することができる。ＵＥ１０８を、ｅＮＢ１０４に対して送信すべきデータがＵＥ１０８にあることを示すように、割り当てられたＳＲ配分を排他的に使用するように構成することができる。例えば、ＵＥ１０８は、ｅＮＢ１０４に対して、送信すべきデータがＵＥ１０８にあることを通知するためにランダムアクセスチャネルを使用しない可能性がある。幾つかの実施形態では、ｅＮＢ１０４は、送信すべきデータがＵＥ１０８にある場合、ランダムアクセスチャネルの代りに割り当てられたＳＲ配分を使用するように、ＵＥ１０８に対して命令することができる。代替的に又はさらに、ＵＥ１０８を、ＵＥ１０８がバックグラウンドモードにあるときに割り当てられたＳＲ配分を排他的に使用するように事前に構成することができる。
【００２６】
幾つかの実施形態では、バックグラウンドＵＥに対する割り当てられたＳＲ配分の周期は、ネットワーク１００を介して通信しているアクティブモードＵＥに対する周期よりも長い可能性がある。バックグラウンドインジケータにより、ｅＮＢ１０４は、いずれのＵＥがバックグラウンドモードにあるかを特定し、それに従ってバックグラウンドＵＥに対するＳＲ配分の周期を調整する（例えば長くする）ことができる。したがって、バックグラウンドＵＥに対するＳＲ配分を１つ又は複数の共通リソースブロックに束ねることにより、ｅＮＢ１０４が、アクティブモードＵＥよりもバックグラウンドＵＥに対して長い周期を設定することを容易にすることができる。
【００２７】
さらに又は代替的に、バックグラウンドモードＵＥに対するＳＲ配分を１つ又は複数の共通リソースブロックに束ねることにより、他の送信に対して他のリソースブロックを解放することができる。多くのネットワークでは、１つ又は複数のＳＲ配分に使用されるリソースブロックにおける未使用リソースエレメントは、他のデータに対して使用することができない。したがって、本明細書に記載するＳＲ配分方式は、バックグラウンドＵＥに対するＳＲ配分をより少ない数のリソースブロックに統合することができ、それにより、チャネルの他のリソースブロックが他の目的に使用されることが可能になる。バックグラウンドＵＥのうちの幾つかには、束ねられたＳＲ配分に起因して利用可能なＳＲ配分の間で遅延がある可能性があるが、これは、バックグラウンドアプリケーションのみを実行しているバックグラウンドＵＥの場合には許容可能であり得る。
【００２８】
様々な実施形態において、ＵＥ１０８がバックグラウンドモードでなくなったとき（例えば、ＵＥがアクティブモードに遷移し及び／又は１つ又は複数のバックグラウンドアプリケーションの実行を停止した場合）、ＵＥ１０８は、ＵＥ１０８がバックグラウンドモードでなくなったことを示すメッセージをｅＮＢ１０４に送信することができる。
【００２９】
図２は、複数のＵＥ（例えば、ＵＥ１０８、１１２及び／又は１１６）に対してＳＲ配分を管理する方法２００を示す。方法２００を、ｅＮＢ１０４等のｅＮＢによって実行することができる。幾つかの実施形態では、ｅＮＢは、実行されるとｅＮＢに方法２００を行わせる命令が格納されている１つ又は複数のコンピューター可読媒体を含むことができ及び／又はそうしたコンピューター可読媒体にアクセスすることができる。
【００３０】
２０４において、ｅＮＢは、複数のＵＥから、その複数のＵＥが１つ又は複数のバックグラウンドアプリケーションを実行しアクティブアプリケーションは実行していないバックグラウンドモードであることを示すバックグラウンドインジケータを受信することができる。幾つかの実施形態では、バックグラウンドインジケータは、ＭＡＣ信号伝達を介して受信することができる。
【００３１】
２０８において、ｅＮＢは、バックグラウンドモードであるＵＥからＳＲに対するチャネル（例えばＰＵＣＣＨ）の１つ又は複数のリソースブロックを指定することができる。幾つかの実施形態では、指定されたリソースブロックを、バックグラウンドＵＥからのＳＲに対して排他的に使用することができる。他の実施形態では、指定されたリソースブロックを、例えばリソースブロックの追加のリソースエレメントが利用可能である場合に、他のＵＥ（例えばアクティブモードＵＥ）のＳＲに対して使用することもできる。
【００３２】
２１２において、ｅＮＢは、指定されたリソースブロックのうちの１つのＳＲ配分を、複数のＵＥの個々のＵＥに割り当てることができる。ｅＮＢは、１８のＵＥ等、限界までの数のＵＥに対するＳＲ配分を、所与のリソースブロックに割り当てることができる。ＳＲ配分は、ＳＲをｅＮＢに送信するために個々のＵＥが使用する、１つ又は複数の指定されたリソースブロックのリソースエレメント及び周期を特定することができる。幾つかの実施形態では、バックグラウンドＵＥに対してＳＲ配分に関連する周期を、ｅＮＢと通信しているアクティブモードＵＥに対する周期よりも長くすることができる。
【００３３】
ｅＮＢは、ＲＲＣ制御メッセージ等のメッセージを複数のバックグラウンドＵＥに送信して、ＵＥに対してそれらの割り当てられたＳＲ配分を通知することができる。ｅＮＢは、その後、それぞれのバックグラウンドＵＥに割り当てられたリソースエレメントでバックグラウンドＵＥのうちの１つ又は複数からＳＲを受信することができる。ＳＲは、（例えば、バックグラウンドアプリケーションのうちの１つ又は複数に対して）ｅＮＢに送信すべきデータがＵＥにあることを示すことができる。
【００３４】
図３は、様々な実施形態による、ＵＥ（例えばＵＥ１０８）によって実行することができる方法３００を示す。幾つかの実施形態では、ＵＥは、実行されるとＵＥに方法３００を行わせる命令が格納されている１つ又は複数のコンピューター可動媒体を含むことができ及び／又はそうしたコンピューター可読媒体にアクセスすることができる。
【００３５】
３０４において、ＵＥは、ＵＥがバックグラウンドモードにあるというインジケータを、無線通信ネットワークを介してｅＮＢに送信することができる。インジケータを、ＵＥによってｅＮＢに送信されるＭＡＣメッセージに含めることができる。
【００３６】
３０８において、ＵＥは、ＵＥに割り当てられたＳＲ配分を更新する、ＲＲＣメッセージ等のメッセージを受信することができる。ＳＲ配分は、ｅＮＢに送信すべきデータがＵＥにある場合に、ＵＥがｅＮＢにＳＲを送信すべきリソースエレメントを特定することができる。ＳＲ配分のリソースエレメントを、バックグラウンドモードにあるＵＥのＳＲ配分に対して指定されたＰＵＣＣＨのリソースブロックに含めることができる。
【００３７】
ＳＲ配分はまた、ＳＲを送信するためにＵＥに割り当てられたリソースエレメントの間の関連する周期も含むことができる。幾つかの実施形態では、周期を、アクティブモードにあるネットワークのＵＥのＳＲ配分周期よりも長くすることができる。
【００３８】
３１２において、ＵＥは、バックグラウンドアプリケーションのうちの１つ又は複数に対してｅＮＢに送信すべきデータがＵＥにある場合に、割り当てられたＳＲ配分のリソースエレメントでＳＲをｅＮＢに送信することができる。幾つかの実施形態では、ＵＥがバックグラウンドモードから出るとき、ＵＥは、ＵＥがバックグラウンドモードでなくなったことを示すようにｅＮＢに別のインジケータを送信することができる。
【００３９】
本明細書に記載するｅＮＢ１０４及び／又はＵＥ１０８を、要求に応じて構成するように任意の適切なハードウェア及び／又はソフトウェアを使用してシステム内に実装することができる。図４は、一実施形態に対し、１つ又は複数のプロセッサ４０４と、プロセッサ４０４のうちの少なくとも１つに結合されたシステム制御ロジック４０８と、システム制御ロジック４０８に結合されたシステムメモリ４１２と、システム制御ロジック４０８に結合された不揮発性メモリ（ＮＶＭ）／ストレージ４１６と、システム制御ロジック４０８に結合されたネットワークインターフェース４２０と、システム制御ロジック４０８に結合された複数の入出力（Ｉ／Ｏ）デバイス４３２とを備えるシステム４００例を示す。
【００４０】
プロセッサ４０４は、１つ又は複数のシングルコア又はマルチコアプロセッサを含むことができる。プロセッサ４０４は、汎用プロセッサ及び専用プロセッサ（例えば、グラフィックスプロセッサ、アプリケーションプロセッサ、ベースバンドプロセッサ等）の任意の組合せを含むことができる。
【００４１】
一実施形態に対するシステム制御ロジック４０８は、プロセッサ４０４のうちの少なくとも１つに及び／又はシステム制御ロジック４０８と通信する任意の適切なデバイス又はコンポーネントに対する、任意の適切なインターフェースを提供する、任意の適切なインターフェースコントローラーを含むことができる。
【００４２】
一実施形態に対するシステム制御ロジック４０８は、システムメモリ４１２にインターフェースを提供する１つ又は複数のメモリコントローラーを含むことができる。システムメモリ４１２を使用して、例えば、システム４００に対するデータ及び／又は命令をロードし格納することができる。一実施形態に対するシステムメモリ４１２は、例えば、適切なダイナミックランダムアクセスメモリ（ＤＲＡＭ）等、任意の適切な揮発性メモリを含むことができる。
【００４３】
ＮＶＭ／ストレージ４１６は、例えば、データ及び／又は命令を格納するために使用される１つ又は複数の有形の非一時的コンピューター可読媒体を含むことができる。ＮＶＭ／ストレージ４１６は、例えばフラッシュメモリ等、任意の適切な不揮発性メモリを含むことができ、及び／又は、例えば１つ若しくは複数のハードディスクドライブ（ＨＤＤ）、１つ若しくは複数のコンパクトディスク（ＣＤ）ドライブ、及び／又は１つ若しくは複数のデジタルバーサタイルディスク（ＤＶＤ）ドライブ等、任意の適切な不揮発性記憶デバイスを含むことができる。
【００４４】
ＮＶＭ／ストレージ４１６は、システム４００がインストールされた装置の物理的な部分であるストレージリソースを含む場合があり、又は、ＮＶＭ／ストレージ４１６は、この装置の一部である必要は無いが、この装置からアクセスされ得る。例えば、ＮＶＭ／ストレージ４１６は、ネットワークインターフェース４２０及び／又は複数のＩ／Ｏデバイス４３２を介してネットワーク上でアクセスされ得る。
【００４５】
ネットワークインターフェース４２０は、１つ又は複数のネットワークを介して及び／又は任意の他の適切なデバイスと通信するために、システム４００に対して無線インターフェースを提供するように送受信器４２２を有することができる。送受信器４２２は、ＵＥ１０８の通信モジュール１２０又はｅＮＢ１０４の通信モジュール１３２を実装することができる。様々な実施形態において、送受信機４２２を、システム４００の他のコンポーネントと統合することができる。例えば、送受信器４２２は、プロセッサ４０４のうちのプロセッサ、システムメモリ４１２のメモリ及びＮＶＭ／ストレージ４１６のＮＶＭ／ストレージを含むことができる。ネットワークインターフェース４２０は、任意の適切なハードウェア及び／又はファームウェアを含むことができる。ネットワークインターフェース４２０は、多入力多出力無線インターフェースを提供するように複数のアンテナを含むことができる。一実施形態に対するネットワークインターフェース４２０は、例えば、有線ネットワークアダプター、無線ネットワークアダプター、電話モデム及び／又は無線モデムを含むことができる。
【００４６】
一実施形態については、プロセッサ４０４のうちの少なくとも１つは、システム制御ロジック４０８の１つ又は複数のコントローラーのためのロジックとともにパッケージ化され得る。一実施形態については、プロセッサ４０４のうちの少なくとも１つは、システムインパッケージ（ＳｉＰ）を形成するように、システム制御ロジック４０８の１つ又は複数のコントローラーのためのロジックとともにパッケージ化され得る。一実施形態については、プロセッサ４０４のうちの少なくとも１つが、システム制御ロジック４０８の１つ又は複数のコントローラーのためのロジックと同じダイに集積され得る。一実施形態については、プロセッサ４０４のうちの少なくとも１つが、システムオンチップ（ＳｏＣ）を形成するように、システム制御ロジック４０８の１つ又は複数のコントローラーのためのロジックと同じダイに集積され得る。
【００４７】
様々な実施形態において、Ｉ／Ｏデバイス４３２は、システム４００とのユーザ対話を可能にするように設計されたユーザインターフェース、システム４００と周辺コンポーネントとの対話を可能にするように設計された周辺コンポーネントインターフェース、及び／又はシステム４００に関連する環境条件及び／又は位置情報を確定するように設計されたセンサーを備えることができる。
【００４８】
様々な実施形態において、ユーザインターフェースは、限定されないが、ディスプレイ（例えば液晶ディスプレイ、タッチスクリーンディスプレイ等）、スピーカー、マイク、１つ又は複数のカメラ（例えばスチルカメラ及び／又はビデオカメラ）、フラッシュライト（例えば発光ダイオードフラッシュ）及びキーボードを含むことができる。
【００４９】
様々な実施形態では、周辺コンポーネントインターフェースは、限定されないが、不揮発性メモリポート、ユニバーサルシリアルバス（ＵＳＢ）ポート、オーディオジャック及び電源インターフェースを含むことができる。
【００５０】
様々な実施形態では、センサーは、限定されないが、ジャイロセンサー、加速度計、近接センサー、環境光センサー及び位置決めユニットを含むことができる。位置決めユニットはまた、位置決めネットワークのコンポーネント、例えば全地球測位システム（ＧＰＳ）衛星と通信するようにネットワークインターフェース４２０の一部であるか又はそうしたネットワークインターフェース４２０と対話することができる。
【００５１】
様々な実施形態において、システム４００は、限定されないがラップトップコンピューティングデバイス、タブレットコンピューティングデバイス、ネットブック、スマートフォン等のモバイルコンピューティングデバイスとすることができる。様々な実施形態において、システム４００は、より多いか又は少ないコンポーネント及び／又は異なるアーキテクチャを有することができる。
【００５２】
説明の目的で本明細書に或る特定の実施形態を図示し、記述したが、同じ目的を達成するよう計算された多様な代替的及び／又は均等な実施形態又は実施態様が、本開示の範囲から逸脱することなく図示及び説明された実施形態を置換し得る。本願は、本明細書に記載の実施形態の任意の適応又は変形を包含することが意図される。したがって、本明細書に記載の実施形態は、特許請求の範囲及びその均等物のみにより限定されることが明示的に意図される。
［項目１］
スケジューリングリクエスト配分を管理する装置であって、
無線通信ネットワークを介して複数のユーザ機器（複数のＵＥ）と通信するように構成された通信モジュールと、
上記通信モジュールに結合されたスケジューリングモジュールと
を備え、
上記スケジューリングモジュールは、上記複数のＵＥのうちのＵＥの第１の組から、上記ＵＥの第１の組が１つ又は複数のバックグラウンドアプリケーションを実行しアクティブアプリケーションは実行していないバックグラウンドモードであるというインジケータを受信し、上記ＵＥの第１の組の個々のＵＥに対してスケジューリングリクエスト配分（ＳＲ配分）を割り当て、
上記個々のＵＥの上記ＳＲ配分はチャネルの共通リソースブロックにおけるリソースエレメントを含む、装置。
［項目２］    
上記スケジューリングモジュールは、さらに、上記個々のＵＥに対して上記個々のＵＥのそれぞれのＳＲ配分を通知する、項目１に記載の装置。
［項目３］
上記スケジューリングモジュールは、無線リソース制御（ＲＲＣ）制御メッセージを介して、上記個々のＵＥに対して該個々のＵＥのぞれぞれのＳＲ配分を通知する、項目２に記載の装置。
［項目４］
上記第１の組の上記ＵＥに対する上記割り当てられたＳＲ配分の周期は、上記無線通信ネットワークを介して上記通信モジュールと通信しているアクティブモードＵＥに対する周期よりも長い、項目１に記載の装置。
［項目５］
上記第１の組は最大１８のＵＥを含む、項目１に記載の装置。
［項目６］
上記インジケータは、媒体アクセス制御（ＭＡＣ）メッセージを介して受信される、項目１に記載の装置。
［項目７］
上記ＵＥの第１の組は、無線リソース制御（ＲＲＣ）接続状態にある、項目１に記載の装置。
［項目８］
上記スケジューリングモジュールは、さらに、１つ又は複数のＵＥから、上記１つ又は複数のＵＥが上記バックグラウンドモードでなくなったことを示す別のインジケータを受信する、項目１に記載の装置。
［項目９］
上記スケジューリングモジュールは、さらに、上記装置に送信すべきデータが上記ＵＥにあることを示すために、ランダムアクセスチャネルの代りに上記割り当てられたＳＲ配分を使用するように、上記ＵＥに対して命令する、項目１〜８のいずれか一項に記載の装置。
［項目１０］
無線通信ネットワークを介して発展型ノードＢ（ｅＮＢ）と通信するように構成された通信モジュールと、
上記通信モジュールに結合され、上記ｅＮＢに対し、該装置が、１つ又は複数のバックグラウンドアプリケーションを実行しアクティブアプリケーションは実行していないバックグラウンドモードにあるというインジケータを送信するアプリケーションモジュールと、
を備える通信装置。
［項目１１］
上記アプリケーションモジュールは、さらに、上記通信装置に割り当てられたスケジューリングリクエスト配分（ＳＲ配分）を更新するメッセージを上記ｅＮＢから受信し、上記装置に対する上記割り当てられたスケジューリングリクエスト配分のリソースエレメントは、上記バックグラウンドモードにある装置のＳＲ配分に対して指定されたチャネルのリソースブロックに含まれる、項目１０に記載の装置。
［項目１２］
上記アプリケーションモジュールは、さらに、上記バックグラウンドアプリケーションのうちの１つ又は複数に対して上記ｅＮＢに送信すべきデータが上記装置にあることを示すように、上記割り当てられたＳＲ配分の上記リソースエレメントで上記ｅＮＢにＳＲインジケータを送信する、項目１１に記載の装置。
［項目１３］
上記割り当てられたＳＲ配分は、アクティブモードにある上記無線通信ネットワークの装置のＳＲ配分周期よりも長い関連する周期を含む、項目１１に記載の装置。
［項目１４］
上記アプリケーションモジュールは、上記ｅＮＢに対して上記ｅＮＢに送信すべきデータが上記装置にあることを通知するために、上記割り当てられたＳＲ配分を排他的に使用する、項目１１に記載の装置。
［項目１５］
上記アプリケーションモジュールは、さらに、上記装置が上記バックグラウンドモードでなくなったことを示すように、別のインジケータを上記ｅＮＢに送信する、項目１０に記載の装置。
［項目１６］
上記装置は、ＵＥである、項目１０〜１５のいずれか一項に記載の装置。
［項目１７］
スケジューリングリクエスト配分を管理する方法であって、
複数のユーザ機器（複数のＵＥ）から発展型ノードＢ（ｅＮＢ）によって、該複数のＵＥがバックグラウンドモードにあるというインジケータを受信する段階と、
上記バックグラウンドモードにある複数のＵＥからのスケジューリングリクエストに対して物理アップリンク制御チャネル（ＰＵＣＣＨ）の１つ又は複数のリソースブロックを指定する段階と、
上記指定された１つ又は複数のリソースブロックのスケジューリングリクエスト配分（ＳＲ配分）を上記複数のＵＥの個々のＵＥに割り当てることと、
を含む、スケジューリングリクエスト配分を管理する方法。
［項目１８］
上記ＳＲ配分は、ＳＲインジケータを上記ｅＮＢに送信するために個々のＵＥが使用する、上記指定された１つ又は複数のリソースブロックのうちの１つのリソースエレメント及び周期を特定する、項目１７に記載の方法。
［項目１９］
上記周期は、上記ｅＮＢと通信しているアクティブモードＵＥに対する周期よりも長い、項目１８に記載の方法。
［項目２０］
上記バックグラウンドモードにある上記ＵＥは、１つ又は複数のバックグラウンドアプリケーションを実行しアクティブアプリケーションは実行していない、項目１７〜１９のいずれか一項に記載の方法。
【図１】
0005786207.tif 000002
【図２】
0005786207.tif 000003
【図３】
0005786207.tif 000004
【図４】
0005786207.tif 000005